(57)【要約】【課題】１枚目の原稿の読み取り終了から２枚目の原稿の読み取り開始までの切換時間を大幅に短縮し、原稿の読み取り速度を速め、原稿の読み取りから画像データの生成までの処理効率を高めることができる。【解決手段】１枚目の原稿に対するパラメータ１，２を第１レジスタ２４Ａ，２５Ａに記憶し、２枚目の画像に対するパラメータ１，２を第２レジスタ２４Ｂ，２５Ｂに記憶する。１枚目の原稿の画像処理中であっても、２枚目の原稿のパラメータを他方のレジスタへの記憶が可能になる。この結果、１枚目の原稿の画像処理が終了後に、２枚目の画像処理のためのパラメータを設定してからレジスタに記憶する従来方法に比べ、１枚目の原稿の読み取り終了から２枚目の原稿の読み取り開始までの切換時間を大幅に短縮する。【選択図】図２
2008011080.tif 000002
【特許請求の範囲】
【請求項１】
自動原稿送り機構によって搬送された原稿の画像を読み取ってイメージデータを出力する画像読取手段と、
前記イメージデータに対応した画像処理を行うためのパラメータを原稿毎に記憶する複数個のレジスタと、
一の原稿に対応したパラメータを一のレジスタに記憶し、この一のレジスタに記憶したパラメータにしたがって前記画像処理手段で一の原稿に対応したイメージデータを画像処理している間に、次の原稿に対応したパラメータを他のレジスタに記憶するレジスタ記憶手段と、
前記レジスタに記憶されたパラメータに従って、前記画像処理を行う画像処理手段と、
前記画像読取手段により読み取られた原稿毎に前記画像処理手段に接続されるレジスタを切り換える制御手段と、を具備する
ことを特徴とする画像読取装置。
【請求項２】
前記制御手段は、一の原稿の画像処理手段における画像処理が終了した際に、前記画像処理手段に接続されるレジスタを、一のレジスタから他のレジスタに切り換える切換手段を備えた
ことを特徴とする請求項１記載の画像読取装置。
【請求項３】
前記画像処理は、予め設定される画像処理の処理条件であり、前記パラメータは、読み取ったイメージデータから設定される原稿毎の設定条件である
ことを特徴とする請求項１または２に記載の画像読取装置。
【請求項４】
前記画像処理手段からの画像データを一時的に格納するデータ格納部を有し、
前記制御手段は、前記画像読取手段によってイメージデータとして画像を読み取る途中に、このイメージデータに対応したパラメータが判明した場合には、前記データ格納部に格納された画像データを出力する
ことを特徴とする請求項１乃至３のいずれかに記載の画像読取装置。
【発明の詳細な説明】
【技術分野】
【０００１】
本発明は、原稿を１枚ずつ搬送する自動原稿送り機構を備えた画像読取装置に関する。
【背景技術】
【０００２】
例えば、自動原稿送り機構を備えた画像読取装置では、原稿を読み取って画像データを得る場合、原稿がカラー画像であるか白黒画像であるかで行う画像処理が異なっている。このため、カラーと白黒とが混在した原稿を読み取る場合、ユーザが原稿一枚毎にカラー／白黒の動作モードを設定することは煩雑であるから、カラー複写機側で原稿のカラー／白黒の別を判別し、判別結果に応じた画像処理を行うのが一般的である。また、全体に薄い黄ばみ等が存在する原稿の場合、その情報を「白」に変換するいわゆる下地補正処理が行われている。この処理を行う場合には、下地レベルも検出しておく必要がある。
【０００３】
従来の画像読取装置では、カラー／白黒判別および下地レベルの検出を行うため、プリスキャン（本来の画像読み取りの前に、その数倍の速度で予め行われる粗いスキャン）を行うことが一般的であった。これにより、画像読取装置では、一旦プリスキャンを行うことにより検出した原稿のカラー／白黒の別および下地レベルのデータから補正用のパラメータを設定し、本来の画像読み取りから得られるイメージデータに対してこのパラメータで画像処理を行い画像データを得るようになっている。
【０００４】
しかし、プリスキャンと本来の画像読み取りとを２度の読取動作を行っているため、１枚の原稿から画像データを生成するのに時間がかなり費やされてしまい、原稿の読み取りから画像データの生成までの処理効率が悪くなっていた。
【０００５】
原稿に対する画像データの生成時間を短縮するものとして、自動原稿送り機構を備えた読取装置（例えば、特許文献１）がある。この特許文献１に記載の読取装置では、１枚目の原稿の読み取り時に、画像メモリに書き込みながらカラー／白黒自動判定や下地除去量などの原稿に依存するパラメータを検出し、読み取り終了後に１枚目の原稿に最適なパラメータを設定し、その後に２枚目の原稿の読み取りを開始するものがある。
【０００６】
さらに、各種画像処理のためのパラメータを予め複数個用意しておき、原稿画像中の文字・写真などの各種領域に対してパラメータを切り換えて最適なフィルタ処理を行う画像形成装置がある（例えば、特許文献２）。
【０００７】
【特許文献１】特許第３３９５６９１号
【特許文献２】特開平８−１８７７１号公報
【発明の開示】
【発明が解決しようとする課題】
【０００８】
しかしながら、特許文献１における画像読取装置では、１枚目の原稿読み取りが完了しないと、２枚目の原稿の画像処理が実行できず、自動原稿送り機構に載置された原稿を処理するのに、比較的長い時間を費やすことになる。
また、特許文献２における画像形成装置では、あらかじめ複数のパラメータを準備しておき、読み取られる１枚目の原稿から得られるイメージデータに対して選択されたパラメータによって画像処理を行うため、あらかじめ準備しておいたパラメータでしか処理できず、最適な画像処理を行うためには多くのパラメータを準備しておく必要があり、高価となるという問題があった。
【０００９】
ここで、特許文献１における画像読取装置の処理動作を、図８のタイムチャートに示す。各信号は、画像読取装置の各部位を制御するための制御部から送信される信号である。
図８中の自動搬送信号ＤＳは、自動原稿送り機構に載置された原稿を１枚搬送する信号である。原稿Ｐは、実際に画像の読取位置に対して移動する際の原稿Ｐの位置である。原稿有効信号ＰＳは、原稿Ｐから読み取られるイメージデータの範囲である。第１画像処理信号ＰＳ１は第１画像処理部により生成される画像データであり、第２画像処理信号ＰＳ２は第２画像処理部により生成される画像データである。なお、第１画像処理部によって実行される処理は、読み込んだイメージデータに対する拡大・縮小・枠消し・有効領域等の大きさの補正処理であり、第２画像処理部によって実行される処理は、読み込んだイメージデータに対する色補正・下地補正等の濃度補正処理である。パラメータ設定信号ＰＥは前記大きさ補正処理および濃度補正処理に用いられるパラメータを設定中であることを示すタイミングである。
【００１０】
画像読取装置に対して原稿の読み取りを行う際には、ユーザは操作部を操作することにより予め初期設定を行う。この初期設定は、とじしろ・枠消し・センター移動・ミックスサイズ原稿送り等の処理である。
ここでは、「ミックスサイズ原稿送り」をユーザが設定した場合について述べる。さらに、コピー動作の一連の動作をして画像読取装置を使用した場合には、印刷される用紙を「固定」に設定して、倍率を「自動」に設定することにより、出力される用紙には、異なった原稿であっても自動的に拡大・縮小を行った画像が印刷されることになる。また、自動原稿送り機構には、次に搬送される原稿の大きさを読み取り前に検出するセンサが備えられているものとする。
【００１１】
まず、制御部は、原稿読取前に自動原稿送り機構のセンサに対して原稿サイズ検知結果を要求する。この要求を受けたセンサは、検知した原稿サイズを制御部に送信する。制御部では、この原稿サイズに応じて固定された用紙の大きさに対する倍率や原稿サイズに対する枠消し量を設定する。この倍率をパラメータとして第１画像処理部に接続されるレジスタに記憶する。また、実際に読み取られたイメージデータを解析することによって得られる色補正・下地補正のための諧調値は、第２画像処理部に接続されるレジスタに記憶される。
【００１２】
次に、制御部は、自動搬送信号ＤＳを自動原稿送り機構に送信し、１枚の原稿を読取部に搬送する。制御部は、原稿が読取部を通過する間、原稿有効信号ＰＳを読取部に送信して、原稿からの画像をイメージデータとして読み取る。読み取ったイメージデータは若干のディレイ（遅れ時間）後に第１画像処理部にて大きさの補正処理を行った後に第１画像処理信号ＰＳ１を出力する。さらに、この第１画像処理信号ＰＳ１よりも若干のディレイ（遅れ時間）後に第２画像処理部にて濃度補正処理を行った後に第２画像処理信号ＰＳ２を出力する。
【００１３】
制御部は、第２画像処理信号ＰＳ２出力後は、１枚目の原稿の画像処理が完了後、１枚目と同様に自動原稿送り機構は２枚目の原稿サイズを制御部に送信する。制御部では、この２枚目の原稿の原稿サイズに応じて固定された用紙の大きさに対する倍率や原稿サイズに対する枠消し量を設定し、この倍率を新しいパラメータとして第１画像処理部のレジスタに記憶する。以下、同様の処理によって２枚目の原稿から第２画像処理信号ＰＳ２を得るようになっている。
【００１４】
このように、この画像読取装置では、読み取ったイメージデータを画像処理した後に改めて次の原稿のパラメータを設定し、さらにレジスタに記憶されたパラメータの書換を行い、次の原稿を搬送するというようになっていた。このため、図８に示すように、１枚目の原稿Ｐの読み取りが終了してから２枚目の原稿が読み取りを開始するまでに切換時間Ｔｃが必要となっていた。このため、自動原稿送り機構に載置された原稿の画像から画像データを得るのに、比較的長い時間を費やすことになる。
【００１５】
本発明は上述した課題に鑑みてなされたものであり、１枚目の原稿の読み取りが終了してから２枚目の原稿が読み取りを開始するまでの時間を従来技術に比べて短縮することにより、原稿の読み込みから画像データ生成までの処理効率を向上することのできる画像読取装置を提供することを目的としている。
【課題を解決するための手段】
【００１６】
上述の目的を達成するため、本発明が採用する画像読取装置は、自動原稿送り機構によって搬送された原稿の画像を読み取ってイメージデータを出力する画像読取手段と、前記イメージデータに対応した画像処理を行うためのパラメータを原稿毎に記憶する複数個のレジスタと、一の原稿に対応したパラメータを一のレジスタに記憶し、この一のレジスタに記憶したパラメータにしたがって前記画像処理手段で一の原稿に対応したイメージデータを画像処理している間に、次の原稿に対応したパラメータを他のレジスタに記憶するレジスタ記憶手段と、前記レジスタに記憶されたパラメータに従って、前記画像処理を行う画像処理手段と、前記画像読取手段により読み取られた原稿毎に前記画像処理手段に接続されるレジスタを切り換える制御手段と、を具備することを特徴とする。
このような構成により、制御手段が画像読取手段により読み取られた原稿毎に画像処理手段に接続されるレジスタを切り換えることにより、画像処理手段では、原稿のパラメータに適した画像処理を行う。また、レジスタ記憶手段が、一の原稿に対する画像処理中に他の原稿のパラメータを他のレジスタに記憶するから、従来一の原稿の画像処理後に行っていた次の原稿のパラメータ設定を省略することができ、１枚目の原稿Ｐの読み取りが終了してから２枚目の原稿が読み取りを開始するまでの時間を短縮することができる。
【００１７】
上記画像読取装置において、前記制御手段は、一の原稿の画像処理手段における画像処理が終了した際に、前記画像処理手段に接続されるレジスタを、一のレジスタから他のレジスタに切り換える切換手段を備えたことを特徴とする。
【００１８】
上記画像読取装置において、前記画像処理は、予め設定される画像処理の処理条件であり、前記パラメータは、読み取ったイメージデータから設定される原稿毎の設定条件であることを特徴とする。
【００１９】
上記画像読取装置において、前記画像処理手段からの画像データを一時的に格納するデータ格納部を有し、前記制御手段は、前記画像読取手段によってイメージデータとして画像を読み取る途中に、このイメージデータに対応したパラメータが判明した場合には、前記データ格納部に格納された画像データを出力することを特徴とする。
【発明を実施するための最良の形態】
【００２０】
以下、本発明の実施形態に係る画像読取装置について、図面を参照して説明する。
【００２１】
＜１．第１実施形態＞
＜１−１．画像読取装置の構成＞
ここで、図１を参照しつつ、画像読取装置１０について説明する。
画像読取装置１０は、複写機の一部として構成されるもので、自動原稿送り機構１１から１枚ずつ送られてくる原稿から画像を読み取る読取部（図示せず）と、読み取ったイメージデータに各種処理を実行して画像補正を行った画像データを生成する処理部とを具備する。また、この画像読取装置１０は、複写機の各装置（画像読取装置、画像形成装置等）を制御する外部コントローラ１００に電気的に接続され、外部コントローラ１００にはユーザインタフェイス部１０１（以下、Ｕ／Ｉ部１０１という）が接続される。
【００２２】
ここで、Ｕ／Ｉ部１０１は、複写機をユーザに利用させるためのユーザインタフェイスを提供する機能を担っており、表示部と操作部（いずれも図示せず）とを備え、表示部は、例えば液晶ディスプレイであり、複写機の利用をユーザに促すための各種画面を表示する。一方、操作部は、例えばテンキーなどの操作子と表示部の表示面上に貼り付けられる透明な感圧センサとにより構成され、表示部とともに所謂タッチパネルを構成する。このＵ／Ｉ部１０１は、ユーザに各種指示を入力させるためのものであり、「スタート」ボタン、「リセット」ボタン等も備えている。
【００２３】
画像読取装置１０は制御部１３を備え、この制御部１３は、ＣＰＵ（Central Processing Unit）、ＲＯＭ（Read Only Memory）、ＲＡＭ（Random Access Memory）等を備えている。制御部１３は、ＲＯＭに記憶されている制御プログラムにしたがって各種制御処理を行う。具体的には、制御部１３は、自動原稿送り機構１１に対して自動搬送信号ＤＳを出力し、ゲート回路２１に対してゲート信号ＧＳを出力すると共に、バス２２を介してレジスタ２４Ａ，２４Ｂ，２５Ａ，２５Ｂに対してパラメータの書き込みを行う。
【００２４】
レジスタ２４Ａ，２４Ｂ，２５Ａ，２５Ｂは、前記制御部１３のＲＡＭの一部、又は画像処理部の中に確保された領域である。第１レジスタ２４Ａ，第２レジスタ２４Ｂは、第１選択回路２８によって切り換えられて第１画像処理部２６に順次接続され、第１レジスタ２５Ａ，第２レジスタ２５Ｂは、第２選択回路２９によって切り換えられて第２画像処理部２７に順次接続される。
【００２５】
ゲート回路２１は、制御部１３からのゲート信号ＧＳによってゲート時間が管理され、自動原稿送り機構１１からの原稿有効信号に対して、画像シフト機能などの際は必要な分だけ原稿有効信号を切り出したり、ダミーで白埋めデータ生成するために原稿有効信号に先立ち原稿有効信号ＰＳを出力したりする。原稿後端部に対しても同様である。これにより、ゲート回路２１は、読取部において読み込まれるイメージデータの範囲を指定する原稿有効信号ＰＳを管理する。また、ゲート回路２１の後段には第１画像処理部２６、第２画像処理部２７が順次接続される。第１画像処理部２６は、第１選択回路２８を介して接続された第１レジスタ２４Ａ，第２レジスタ２４Ｂに記憶されたパラメータに基づいた画像処理を行う。第２画像処理部２７は第２選択回路２９を介して接続された第１レジスタ２５Ａ，第２レジスタ２５Ｂに記憶されたパラメータに基づいた画像処理を行う。
【００２６】
ここで、第１画像処理部２６は、ゲート回路２１で管理される原稿有効信号ＰＳがオン状態の間に読取部で読み取られるイメージデータに対して拡大・縮小・枠消し等の大きさの補正処理を行い、第１画像処理信号ＰＳ１を第２画像処理部２７に出力する。また、第２画像処理部２７は、第１画像処理部２６から出力される第１画像処理信号ＰＳ１に対し、色補正・下地補正等の濃度補正処理を行い、第２画像処理信号ＰＳ２を外部コントローラ１００に出力する。外部コントローラ１００では、受けた第２画像処理信号ＰＳ２を画像形成装置に送信して、画像形成装置にて用紙に画像を形成する。
【００２７】
第１選択回路２８および第２選択回路２９は、１／２分周回路３０からの選択信号ＳＳによってレジスタ２４Ａと２４Ｂ，２５Ａと２５Ｂの接続を切り換える。具体的には、選択信号ＳＳがオフ状態の場合には、第１選択回路２８は、第１画像処理部２６と第１レジスタ２４Ａとを接続し、第２選択回路２９は、第２画像処理部２７と第１レジスタ２５Ａとを接続する。一方、選択信号ＳＳがオン状態の場合には、第１選択回路２８は、第１画像処理部２６と第２レジスタ２４Ｂとを接続し、第２選択回路２９は、第２画像処理部２７と第２レジスタ２５Ｂとを接続する。１／２分周回路３０は、制御部１３からのＲset信号を受けて、第２画像処理信号ＰＳ２を２分周した選択信号ＳＳを選択回路２８，２９に出力する。
【００２８】
＜１−２．画像読取装置の動作＞
次に、画像読取装置の動作を、図２のフローチャートを参照しつつ説明する。本実施形態の画像読取装置をカラー複写機の一部に備えた例を説明する。
まず、図２のフローチャートに基づき、画像読取装置の動作について説明する。
外部コントローラ１００は、ユーザがＵ／Ｉ部１０１を操作することによって得られる初期設定を制御部１３に送信する。制御部１３では、この初期設定をＲＡＭに記憶する（ステップＳａ１）。
この初期設定には、とじしろ・枠消し・センター移動・ミックスサイズ原稿送り等の予め設定する処理がある。この説明では、初期設定を「ミックスサイズ原稿送り」とした場合を例に挙げて述べる。さらに、印刷される用紙が蓄積されるトレイを「固定」に設定して、倍率を「自動」に設定する。これにより、カラー複写機からは、異なった原稿であっても自動的に画像データの拡大・縮小を行って、画像が印刷された同じ大きさの用紙が出力される。
【００２９】
制御部１３は、Ｕ／Ｉ部１０１の「スタート」ボタンがユーザに押されるまで待機し（ステップＳａ２）、「スタート」ボタンが押される（ステップＳａ２；ＹＥＳ）と、次のステップに移行する。
制御部１３は、自動原稿送り機構１１から搬送される原稿をカウントすべくカウント値Ｎを「１」歩進し（ステップＳａ３）、自動原稿送り機構に対して原稿サイズ検知の要求を送信する（ステップＳａ４）。
【００３０】
制御部１３は、原稿サイズ検知の要求を受けたセンサ１２から送信される、１枚目の用紙サイズを計測した計測結果（原稿サイズ検知信号ＳＦ）を受信する（ステップＳａ５）。制御部１３では、この原稿サイズ検知信号ＳＦを受けて、原稿サイズを算出し、原稿サイズと固定の用紙サイズとの比率から画像の補正倍率をパラメータ１として算出する（ステップＳａ６）。
【００３１】
制御部１３は、カウント値Ｎが奇数か偶数かを判定し（ステップＳａ７）、原稿が奇数の場合（ステップＳａ７；ＹＥＳ）にはステップＳａ６で算出したパラメータ１を第１レジスタ２４Ａに記憶する（ステップＳａ８）。一方、原稿が偶数の場合（ステップＳａ７；ＮＯ）にはステップＳａ６で算出したパラメータ１を第２レジスタ２４Ｂに記憶する（ステップＳａ９）。
【００３２】
制御部１３は、カウント値Ｎが「Ｎ＞１」であるかを監視し（ステップＳａ１０）、カウント値Ｎが２以上、即ち２枚目以降の原稿である場合には、次の処理で画像処理２が終了するまで待機させ（ステップＳａ１１）、画像処理２が終了した場合（ステップＳａ１１；ＹＥＳ）および原稿が１枚目であった場合（ステップＳａ１０；ＮＯ）には、次の処理に移行する。
【００３３】
制御部１３は、カウント値Ｎが奇数か偶数かを判定し（ステップＳａ１２）、原稿が奇数の場合（ステップＳａ１２；ＹＥＳ）には選択信号ＳＳを停止し（ステップＳａ１３）、偶数の場合（ステップＳａ１２；ＮＯ）には選択信号ＳＳを出力する（ステップＳａ１４）。
【００３４】
さらに、制御部１３は、自動搬送信号ＤＳを自動原稿送り機構１１に送信し（ステップＳａ１５）、自動原稿搬送機構１１は原稿を搬送し、読取部にて原稿の画像をイメージデータとして読み取りを開始する（ステップＳａ１６）。制御部１３では、読み取ったイメージデータを解析してカラー画像／白黒画像補正・下地補正のための情報を抽出し、カラー画像／白黒画像補正・下地補正のための補正諧調度をパラメータ２として算出する（ステップＳａ１７）。
【００３５】
なお、パラメータ２の算出については、原稿を読み取ったデータを解析してパラメータ２を算出設定する場合と、操作部を介して入力される初期設定データから算出した結果をパラメータ２に設定する場合とがある。この場合は、パラメータ２は、パラメータ１と同じ位置で実施される。
【００３６】
制御部１３は、カウント値Ｎが奇数か偶数かを判定し（ステップＳａ１８）、原稿が奇数の場合（ステップＳａ１８；ＹＥＳ）には、ステップＳａ１７で算出したパラメータ２を第１レジスタ２５Ａに記憶する（ステップＳａ１９）。一方、原稿が偶数の場合（ステップＳａ１８；ＮＯ）にはステップＳａ１７で算出したパラメータ２を第２レジスタ２５Ｂに記憶する（ステップＳａ２０）。
【００３７】
さらに、制御部１３は、選択信号ＳＳが停止状態であるか否かを判定し（ステップＳａ２１）、停止の場合（ステップＳａ２１；ＹＥＳ）には、第１選択回路２８は第１レジスタ２４Ａに接続しているから、第１画像処理部２６を第１レジスタ２４Ａに接続する（ステップＳａ２２）。一方、選択信号ＳＳが出力されている場合（ステップＳａ２１；ＮＯ）には、第２画像処理部２７を第２レジスタ２Ｂに接続する（ステップＳａ２３）。このように、本実施形態では、読み取られる原稿毎にパラメータを記憶されるレジストを切り換えている。
【００３８】
制御部１３は、原稿が奇数の場合、第１画像処理部２６において第１選択回路２８によって接続された第１レジスタ２４Ａに記憶された補正倍率に基づき、イメージデータの画像処理を開始する（ステップＳａ２４）。さらに、第２画像処理部２７においては第２選択回路２９によって接続された第１レジスタ２５Ａに記憶された補正諧調度に基づき、第１画像処理信号ＰＳ１の画像処理を開始する（ステップＳａ２５）。
【００３９】
さらに、自動原稿送り機構１１に載置された原稿が全部処理されたか否かを判定し（ステップＳａ２６）、原稿が全部処理された場合（ステップＳａ２６；ＹＥＳ）にはこの画像読取処理を終了する。
制御部１３は、原稿が全部処理されていない場合（ステップＳａ２６；ＮＯ）には、読取動作が終了したか否かを判定し（ステップＳａ２７）、この処理が終了するまで待機する。
【００４０】
制御部１３は、読取動作が終了した場合（ステップＳａ２７；ＹＥＳ）には、ステップＳａ３移行の処理に移る。即ち、ステップＳａ３の処理で、カウント値Ｎを「１」歩進させ、ステップＳａ７，Ｓａ１８の判定処理でパラメータ１，２が記憶されるレジスタを選択し、ステップＳａ２１の判定処理で画像処理部とパラメータとの接続を順次切り換える。
【００４１】
＜１−３．第１実施形態の効果＞
次に、図３のタイムチャートを参照しつつ第１実施形態における画像読取装置１０の効果について説明する。
図３中の自動搬送信号ＤＳは、自動原稿送り機構に載置された原稿を１枚搬送する信号である。原稿Ｐは、実際に画像の読取位置に対して移動する際の原稿Ｐの位置である。原稿有効信号ＰＳは、原稿Ｐから読み取られるイメージデータの範囲である。第１画像処理信号ＰＳ１は第１画像処理部により生成される画像データであり、第２画像処理信号ＰＳ２は第２画像処理部により生成される画像データである。なお、第１画像処理部によって実行される処理は、読み込んだイメージデータに対する拡大・縮小・枠消し等・有効領域の大きさの補正処理であり、第２画像処理部によって実行される処理は、読み込んだイメージデータに対する色補正・下地補正等の濃度補正処理である。選択信号ＳＳは選択回路２８，２９を切り換える信号である。パラメータ設定信号ＰＥは前記大きさ補正処理および濃度補正処理に用いられるパラメータを設定中であることを示す信号である。
【００４２】
第１実施形態では、１枚目の原稿に対するパラメータ１，２を第１レジスタ２４Ａ，２５Ａに記憶し、２枚目の画像に対するパラメータ１，２を第２レジスタ２４Ｂ，２５Ｂに記憶するから、１枚目の原稿の画像処理中であっても、２枚目の原稿のパラメータを他方のレジスタへの記憶が可能になる。この結果、図３に示すように、１枚目の原稿の画像処理が終了後に、２枚目の画像処理のためのパラメータを設定してからレジスタに記憶する従来方法に比べ、１枚目の原稿の読み取り終了から２枚目の原稿の読み取り開始までの切換時間Ｔｃ１を大幅に短縮することができ、ひいては原稿の読み取り速度を速め、原稿の読み取りから画像データの生成までの処理効率を高めることができる。
さらに、原稿交換時に処理動作が集中してしまうのを分散させることができ、制御部等のＣＰＵを演算速度の比較的低いものを用いることも可能となり、コスト低減を図ることができる。
【００４３】
＜２．第２実施形態＞
本発明による第２実施形態を、図４及び図５に基づいて説明する。図６は図５と対比するための従来技術である。なお、本実施形態では、前述した第１実施形態と同一の構成要素に同一の符号を付し、その説明を省略するものとする。第２実施形態における画像読取装置４１の特徴は、第１画像処理部２６と第２画像処理部２７との間に画像メモリ４２を接続した点にある。
【００４４】
画像メモリ４２は、原稿有効信号ＰＳと同時に画像データが書き込まれる。制御部１３は、画像メモリ４２の書込途中で原稿から得られる測定結果が得られた場合（図５中のメモリ書込の斜線部）には、第１レジスタ２５Ａにパラメータを設定する。そして、この実施形態の画像読取装置では、第１レジスタ２５Ａにパラメータの書き込みが終了した時点で、第２選択回路２９を第１レジスタ２５Ａに切り換えて、画像メモリ４２から画像データの読み出しを実施して第１レジスタ２５Ａに記憶されたパラメータで画像処理を行うようになっている。
同様に、２枚目の原稿をメモリに書き込み中に原稿から得られる測定結果が得られた場合、第２レジスタ２５Ｂに書き込み、1枚目のデータがメモリから読み出し終わったら選択回路２９で第２レジスタ２５Ｂに切り換えて、画像４２から読み出すようになっている。
【００４５】
１枚目の原稿を読み込んでいる途中で、測定結果が得られる処理方法としては、所定波に以上の面積を読み込むことができれば判定可能なカラー／白黒原稿判定処理や下地補正処理等がある。
【００４６】
第２実施形態における画像読取装置４１では、前述した如く、画像メモリ４２に画像データを読み込んでいる途中でパラメータが設定できた場合には、処理中のパラメータが記憶されたレジスタとは異なった他のレジスタに設定されたパラメータを記憶し、他のレジスタに記憶されたパラメータに基づき、画像メモリ４２に書き込まれた画像データを読み出して画像処理を施すようになっています。これにより、図６に示す従来技術のように、画像メモリに一度データを書き込んだ後にパラメータを算出し、このパラメータによって画像処理を行う場合に比べて、画像メモリからのデータの読み出しを格段早めることができ、原稿の読み取りから画像データの生成までの処理効率を高めることができる。
【００４７】
＜３．第３実施形態＞
本発明による第３実施形態を、図７に基づいて説明する。なお、本実施形態では、前述した第１実施形態と同一の構成要素に同一の符号を付し、その説明を省略するものとする。第３実施形態における画像読取装置５１の特徴は、第１画像処理部２６と第２画像処理部２７との間に画像メモリ４２を接続した点にある。
この画像読取装置５１では、テーブル（ＬＵＴ１，２）を２つ備え、選択回路５３で原稿毎に切り換え可能にしている。
【００４８】
そして、画像読取装置５１では、１枚目の原稿読取中に演算のみを実施して制御部のメモリにテーブル（ＬＵＴ）を書き込んでおき、１枚目の原稿の画像処理が終了した時点で、テーブルを切り換えるようにすれば、レジスタの切り換えだけで実現できない処理であっても、設定時間の短縮を図ることができる。
しかも、図７に示すように、テーブル（ＬＵＴ１，２）を２つ備えて選択回路５３によって、原稿毎にテーブルを選択するようにすれば、画像処理の種類も増やすことが可能となる。
【００４９】
＜４．変形例＞
以上、本発明の実施形態について説明したが、本発明は上述した実施形態に限定されるものではなく、種々の態様が可能である。
【００５０】
前記各実施形態では、第１画像処理部２６において大きさの補正処理、第２画像処理部２７において濃度補正処理を行うようにしたが、本発明はこれに限らず、この画像処理部は１つでも３つ以上でもよく、要は１つの画像処理部に対して原稿毎に切り替わるレジストを備える構成であればよい。また、切り替わるレジスタも２個に限らず３個以上でも良いことは勿論である。さらに、画像処理に関しても、大きさ補正処理、濃度補正処理に限らず、出力時に複数の画像を１枚の用紙に印刷する「まとめて１枚」（Ｎアップ）、たてよこ独立変倍等の出力時の補正に用いてもよい。
【００５１】
前記第１実施形態では、自動原稿送り機構１１に原稿の大きさを測定するセンサ１２を設けて読み取り前に原稿サイズを特定する場合について述べたが、本発明はこれに限らず、自動原稿送り機構１１から読取部に原稿が搬送される搬送ラインの途中に原稿の大きさを計測するセンサを備えてもよい。
【００５２】
前記第１実施形態では、初期設定を「ミックスサイズ原稿送り」とした場合を例に挙げて説明したが、これに限らず、「まとめて１枚」（Ｎアップ）、たてよこ独立変倍等、種々の処理に本発明は適用することが可能である。
【００５３】
自動原稿送り機構１１は、両面原稿送り、片面原稿送りのいずれであってもよい。本発明による画像読取装置１０は、カラー複写機に用いるのみでなく、ファックス機等に搭載してもよいことは勿論である。
【図面の簡単な説明】
【００５４】
【図１】本発明の第１実施形態による画像読取装置を示すブロック図である。
【図２】第１実施形態による画像読取装置の動作を示す流れ図である。
【図３】第１実施形態による画像読取装置の動作示すタイムチャートである。
【図４】第２実施形態による画像読取装置を示すブロック図である。
【図５】第２実施形態による画像読取装置の動作示すタイムチャートである。
【図６】図５と対比するための従来技術による画像読取装置の動作示すタイムチャートである。
【図７】第３実施形態による画像読取装置を示すブロック図である。
【図８】従来技術による画像読取装置の動作示すタイムチャートである。
【符号の説明】
【００５５】
１０，４１，５１…画像読取装置、１１…自動原稿送り機構、１２…センサ、１３…制御部、２４Ａ，２５Ａ…第１レジスタ、２４Ｂ，２５Ｂ…第２レジスタ、２６…第１画像処理部、２７…第２画像処理部、２８…第１選択回路、２９…第２選択回路、３０…１／２分周回路、４２…画像メモリ、５３…選択回路、１００…外部コントローラ、１０１…Ｕ／Ｉ部。
【図１】
2008011080.tif 000003
【図２】
2008011080.tif 000004
【図３】
2008011080.tif 000005
【図４】
2008011080.tif 000006
【図５】
2008011080.tif 000007
【図６】
2008011080.tif 000008
【図７】
2008011080.tif 000009
【図８】
2008011080.tif 000010